(57)【要約】【課題】長期間にわたって高画質印刷が可能である。【解決手段】インクジェット記録装置２０は、インクを吐出する吐出口が形成されたインク吐出面２を有するインクジェットヘッド１と、先端がインク吐出面２に接触することにより、上記吐出口又はインク吐出面２に付着した付着物を除去するブラシ毛３とを備え、上記先端の径は、上記吐出口の径より細い。【選択図】図１
2014069351.tif 000002
【特許請求の範囲】
【請求項１】
インクを吐出する吐出口が形成されたインク吐出面を有するインクジェットヘッドと、
先端が上記インク吐出面に接触することにより、上記吐出口又は上記インク吐出面に付着した付着物を除去するブラシ毛とを備え、
上記先端の径は、上記吐出口の径より細いことを特徴とするインクジェット記録装置。
【請求項２】
上記ブラシ毛に振動を与える振動付加手段をさらに備えることを特徴とする請求項１に記載のインクジェット記録装置。
【請求項３】
上記振動付加手段は、超音波を発生させて上記ブラシ毛に振動を与えることを特徴とする請求項２に記載のインクジェット記録装置。
【請求項４】
上記ブラシ毛に洗浄液を供給する洗浄液供給手段をさらに備えることを特徴とする請求項１から３のいずれか一項に記載のインクジェット記録装置。
【請求項５】
上記吐出口の径に対する上記先端の径の割合は、４％以上、５０％以下であることを特徴とする請求項１から４のいずれか一項に記載のインクジェット記録装置。
【請求項６】
上記ブラシ毛は、ポリブチレンテレフタレート、ナイロン、ポリプロピレンからなる群より選択される材料から形成されることを特徴とする請求項１から５のいずれか一項に記載のインクジェット記録装置。
【請求項７】
インクを吐出する吐出口が形成されたインク吐出面を有するインクジェットヘッドを、ブラシ毛により清掃する清掃工程を含み、
上記清掃工程では、上記吐出口の径よりも細い先端の径を有する上記ブラシ毛が、上記インク吐出面に接触することにより、上記吐出口又は上記インク吐出面に付着した付着物を除去することを特徴とするインクジェットヘッドの清掃方法。
【発明の詳細な説明】
【技術分野】
【０００１】
本発明は、インクジェット記録装置及びインクジェットヘッドの清掃方法に関する。
【背景技術】
【０００２】
インク吐出面に付着した付着物を払い落とすブラシ、及び当該ブラシが払い落とした物体を吸引する吸引ユニットを備えることによって、インクジェットヘッドのクリーニングを行う技術が、特許文献１に記載されている。
【先行技術文献】
【特許文献】
【０００３】
【特許文献１】特開２００７−３０１８２４号公報（２００７年１１月２２日公開）
【発明の概要】
【発明が解決しようとする課題】
【０００４】
特許文献１に記載されているように、ブラシによるヘッドクリーニングは従来から提案されている。しかし、通常のブラシ（約φ２００μｍ）ではノズル近傍、又はノズル内の汚れを落とすことができず、インクジェットヘッドからのインクの着弾位置が意図した範囲からずれてしまう現象（飛行曲がり）を改善することができないおそれがある。
【０００５】
通常のブラシでは、ブラシとヘッドとの接触によってヘッドの撥水面を損傷するおそれがある。また、ヘッドのクリーニングを行ってもインクの吐出精度が回復しない場合には、ヘッドの交換をする必要がある。
【０００６】
本発明は、上記課題に鑑みてなされたものであり、長期間にわたって高画質印刷が可能なインクジェット記録装置及びインクジェットヘッドの清掃方法を提供することを目的とする。
【課題を解決するための手段】
【０００７】
本発明に係るインクジェット記録装置は、上記の課題を解決するために、インクを吐出する吐出口が形成されたインク吐出面を有するインクジェットヘッドと、先端が上記インク吐出面に接触することにより、上記吐出口又は上記インク吐出面に付着した付着物を除去するブラシ毛とを備え、上記先端の径は、上記吐出口の径より細いことを特徴としている。
【０００８】
ブラシ毛の先端の径は吐出口の径よりも細いため、当該先端は容易に吐出口に侵入する。そのため、吐出口近傍、又は吐出口内の汚れを好適に除去することができる。また、ブラシ毛の先端とインクジェットヘッドとが接触しても大きな負担がかからないため、インクジェットヘッドのインク吐出面が損傷することを防止できる。
【０００９】
したがって、本発明に係るインクジェット記録装置は、長期間にわたって高画質印刷が可能である。
【００１０】
本発明に係るインクジェット記録装置は、上記ブラシ毛に振動を与える振動付加手段をさらに備えることがより好ましい。
【００１１】
振動付加手段がブラシ毛に振動を与えることによって、ブラシ毛の先端が吐出口に侵入しやすくなる。よって、吐出口に付着した付着物を好適に除去することができる。
【００１２】
本発明に係るインクジェット記録装置では、上記振動付加手段は、超音波を発生させて上記ブラシ毛に振動を与えることがより好ましい。
【００１３】
振動付加手段が超音波を発生させることによって、ブラシ毛は微細に振動する。ブラシ毛の微細な振動により吐出口に付着した付着物が離れやすくなるため、当該付着物を除去することが容易である。
【００１４】
本発明に係るインクジェット記録装置は、上記ブラシ毛に洗浄液を供給する洗浄液供給手段をさらに備えることがより好ましい。
【００１５】
洗浄液供給手段がブラシ毛に洗浄液を供給することによって、ブラシ毛に当該洗浄液が付着する。ブラシ毛に付着した洗浄液によって、吐出口又はインク吐出面に付着した付着物の一部を溶かして除去することが容易である。
【００１６】
また、複数のブラシ毛が密集している場合、毛細管現象によってブラシ毛の間に洗浄液が保持される。この場合、吐出口又はインク吐出面に付着した付着物の一部を溶かして除去することがより容易である。
【００１７】
超音波によりブラシ毛に振動を与えている場合、ブラシ毛に付着した洗浄液を介して、吐出口又はインク吐出面に付着した付着物に超音波を付与することができる。したがって、上記付着物を容易に除去することができる。
【００１８】
本発明に係るインクジェット記録装置は、上記吐出口の径に対する上記先端の径の割合は、４％以上、５０％以下であることがより好ましい。
【００１９】
先端の径の割合が４％以上であることにより、ブラシ毛は吐出口又はインク吐出面に付着した付着物を好適に除去することができる。先端の径の割合が５０％以下であることにより、ブラシ毛の先端はより容易に吐出口に侵入することができ、当該吐出口に付着した付着物を好適に除去することができる。
【００２０】
本発明に係るインクジェット記録装置では、上記ブラシ毛は、ポリブチレンテレフタレート、ナイロン、ポリプロピレンからなる群より選択される材料から形成されることがより好ましい。
【００２１】
上記材料から形成されるブラシ毛は、耐摩耗性及び耐溶剤性に優れている。よって、長期間にわたってインクジェットヘッドの清掃性能を維持することができる。
【００２２】
本発明に係るインクジェットヘッドの清掃方法は、インクを吐出する吐出口が形成されたインク吐出面を有するインクジェットヘッドを、ブラシ毛により清掃する清掃工程を含み、上記清掃工程では、上記吐出口の径よりも細い先端の径を有する上記ブラシ毛が、上記インク吐出面に接触することにより、上記吐出口又は上記インク吐出面に付着した付着物を除去することを特徴としている。
【００２３】
本発明に係るインクジェットヘッドの清掃方法によれば、上記インクジェット記録装置と同様の効果を奏する。
【発明の効果】
【００２４】
本発明に係るインクジェット記録装置及びインクジェットの清掃方法は、長期間にわたって高画質印刷が可能であるという効果を奏する。
【図面の簡単な説明】
【００２５】
【図１】本発明の第１実施形態に係るインクジェット記録装置を模式的に示す図である。
【図２】本発明の第２実施形態に係るインクジェット記録装置を模式的に示す図である。
【図３】本発明の第１実施形態にて、インク吐出面に形成された吐出口をブラシ毛により清掃することを模式的に示す図である。
【発明を実施するための形態】
【００２６】
［第１実施形態］
以下、本発明の第１実施形態について、図１を用いて詳細に説明する。図１は、本発明の第１実施形態に係るインクジェット記録装置を模式的に示す図である。
【００２７】
〔インクジェット記録装置２０〕
本実施形態に係るインクジェット記録装置２０は、インクジェットヘッド１、ブラシ毛３を支持するブラシ本体４、ブラシ移動手段５、超音波発生手段（振動付加手段、図示せず）、洗浄液供給手段６及び洗浄液受け７を備えている。
【００２８】
インクジェット記録装置２０は、インクジェットヘッド１から被記録媒体（図示せず）にインクを吐出し、当該被記録媒体に所定の画像を描画するものである。
【００２９】
（インクジェットヘッド１）
インクジェットヘッド１は、インク吐出面２に形成されている複数の吐出口（図示せず）からインクを吐出する。
【００３０】
インクジェット記録装置２０を長期間にわたって使用することにより、インクが付着物として吐出口又はインク吐出面２に付着する。そのため、インクジェットヘッド１をクリーニングして、当該付着物を除去する必要がある。
【００３１】
（ブラシ本体４）
ブラシ本体４は、端部にて、密集した複数本のブラシ毛３を支持するものであり、ブラシ移動手段５により、図１中の矢印Ｘ方向に往復運動する。
【００３２】
ブラシ毛３は、先端がインク吐出面２に接触することにより、上記吐出口又はインク吐出面２に付着した付着物を除去するものである。ブラシ毛３の先端の径は、吐出口の径より細くなっている。
【００３３】
ブラシ毛３の先端の径は、吐出口の径よりも細いため、当該先端は容易に吐出口に侵入する。そのため、吐出口近傍、又は吐出口内の汚れを好適に除去することができる。また、ブラシ毛３とインクジェットヘッド１とが接触しても大きな負担がかからないため、インクジェットヘッド１のインク吐出面２が損傷することを防止できる。
【００３４】
吐出口の径に対するブラシ毛の先端の径の割合は、４％以上、５０％以下であることが好ましく、８％以上、３３％以下であることがより好ましい。先端の径の割合が４％以上であることにより、ブラシ毛は吐出口又はインク吐出面に付着した付着物を好適に除去することができる。先端の径の割合が５０％以下であることにより、ブラシ毛の先端はより容易に吐出口に侵入することができ、当該吐出口に付着した付着物を好適に除去することができる。先端の径の割合が８％以上であることにより、ブラシ毛は吐出口又はインク吐出面に付着した付着物をより好適に除去することができる。先端の径の割合が３３％以下であることにより、ブラシ毛の先端はより容易に吐出口に侵入することができ、当該吐出口に付着した付着物をより好適に除去することができる。
【００３５】
一例として、吐出口の径は、２５〜３５μｍであり、ブラシ毛の径は、先端部において、３μｍ、先端部と根元部との間に設けられ、先端部に近づくにつれて直径が次第に減少するテーパ部において、２０〜３７μｍ、根元部において、２００μｍである。そして、ブラシ毛の先端１ｍｍ程度がインク吐出面と接触するように、調整すればよい。これらにより、ブラシ毛の先端は吐出口に侵入しやすく、吐出口近傍又は吐出口内部の付着物を好適に除去することができる。
【００３６】
ブラシ毛は、ポリブチレンテレフタレート、ナイロン、ポリプロピレンなどの材料から形成されることがより好ましい。上記材料から形成されているブラシ毛は、耐摩耗性及び耐溶剤性に優れている。よって、長時間にわたってインクジェットヘッドの清掃性能を維持することができる。
【００３７】
（ブラシ移動手段５）
ブラシ移動手段５は、ブラシ本体４を支持し、ブラシ本体４を図１中の矢印Ｘ方向に往復させるための移動手段である。ブラシ本体４に支持されているブラシ毛３の先端がインク吐出面２に接触しているとき、ブラシ本体４を矢印Ｘ方向に往復移動させることにより、ブラシ毛３の先端が、複数の吐出口又はインク吐出面２に接触する。
【００３８】
ブラシ移動手段５の移動方向は、矢印Ｘ方向に限定されず、インク吐出面２と平行であって、矢印Ｘ方向に垂直な方向である矢印Ｚ方向、又は矢印Ｘ方向及び矢印Ｚ方向と垂直な方向である矢印Ｙ方向であってもよい。ブラシ移動手段５が矢印Ｚ方向に移動することにより、ブラシ毛３の先端が、複数の吐出口又はインク吐出面２に接触する。
【００３９】
さらに、ブラシ移動手段５は、ブラシ本体４を回転させる機構を備えていてもよい。
【００４０】
（超音波発生手段）
超音波発生手段は、超音波を発生させることによりブラシ毛３に振動を与える振動付加手段の一形態である。超音波を発生させることによりブラシ毛３は微細に振動するため、ブラシ毛３が吐出口に引っかかることを防止できる。さらに、ブラシ毛３の微細な振動により吐出口に付着した付着物が離れやすくなるため、当該付着物を除去することが容易である。
【００４１】
振動付加手段としては、超音波発生手段の他に、例えば、偏芯カムを設けたローラ、ピエゾ素子などが挙げられる。振動付加手段がブラシ毛に振動を与えることによって、ブラシ毛の先端が吐出口に侵入しやすくなる。よって、吐出口に付着した付着物を好適に除去することができる。
【００４２】
偏芯カムを設けたローラ、ピエゾ素子などの振動付加手段が付与する振動数としては、１ｋＨｚ以上であることが好ましく、３．３ｋＨｚ以上であることがより好ましい。振動数が、１ｋＨｚ以上であることによりブラシ毛の先端が吐出口に侵入しやすくなる、振動数が、３．３ｋＨｚ以上であることによりブラシ毛の先端がさらに吐出口に侵入しやすくなる。
【００４３】
超音波発生手段などの振動付加手段が付与する振動数としては、３ＭＨｚ以下であることが好ましく、１．６ＭＨｚ以下であることがより好ましい。高周波振動は伝播の過程で減衰しやすいが、振動数が、３ＭＨｚ以下であることにより吐出口近傍、又は吐出口内の汚れまで汚れ除去に有効な振動を伝播させることができ、振動数が、１．６ＭＨｚ以下であることにより吐出口近傍、又は吐出口内の汚れまでさらに多くの振動を伝播させることができる。
【００４４】
振動付加手段は、ブラシ本体のブラシ毛の直下に設けられていることが好ましい。これにより、ブラシ本体にて振動が減衰することなく、ブラシ毛に振動を付与することができる。
【００４５】
（洗浄液供給手段６）
洗浄液供給手段６は、ブラシ毛３に洗浄液を供給するためのものである。洗浄液供給手段６がブラシ毛３に洗浄液を供給することによって、ブラシ毛３に当該洗浄液が付着する。複数のブラシ毛３が密集しているため、毛細管現象によってブラシ毛３の間に洗浄液が保持される。よって、吐出口又はインク吐出面２に付着した付着物の一部を溶かして除去することが容易である。
【００４６】
超音波によりブラシ毛３に振動を与えている場合、ブラシ毛３に付着した洗浄液を介して、吐出口又はインク吐出面２に付着した付着物に超音波を付与することができる。したがって、上記付着物を容易に除去することができる。
【００４７】
洗浄液としては、インクから顔料、染料などを除いた液体（インクの溶媒）に溶解する液体を用いればよい。例えば、ソルベントインクなどの有機溶剤を溶媒としたインクでは、洗浄液としてアセトン、メチルエチルケトンなどを用いることが好ましい。これにより、吐出口又はインク吐出面２に付着した付着物を好適に除去することができる。
【００４８】
（洗浄液受け７）
洗浄液受け７は、洗浄液供給手段６と対面するように設けられており、ブラシ毛３に洗浄液を供給するときにブラシ毛３に付着しなかった洗浄液を貯留するためのものである。
【００４９】
また、本発明の一形態として、洗浄液供給手段を洗浄液受けに取り付けて洗浄液受けに洗浄液を貯留し、当該洗浄液にブラシ毛を浸漬させることによりブラシ毛に洗浄液を供給してもよい。他には、洗浄液受けに洗浄液を貯留し、吐出口又はインク吐出面の清掃後に付着物が付着したブラシ毛を洗浄液受けの洗浄液に浸漬させてもよい。
【００５０】
以上より、本発明に係るインクジェット記録装置は、長期間にわたって高画質印刷が可能である。
【００５１】
〔インクジェットヘッド１の清掃方法〕
次に、インクジェットヘッド１の清掃方法について説明する。本実施形態に係るインクジェットヘッド１の清掃方法は、インクを吐出する吐出口が形成されたインク吐出面２を有するインクジェットヘッド１を、ブラシ毛３により清掃する清掃工程を含み、上記清掃工程では、上記吐出口の径よりも細い先端の径を有するブラシ毛３が、インク吐出面２に接触することにより、上記吐出口又はインク吐出面２に付着した付着物を除去する。なお、一実施形態として、インクジェット記録装置２０が備えるインクジェットヘッド１の清掃方法を説明する。
【００５２】
まず、インクジェットヘッド１をクリーニングしていない待機状態の場合、ブラシ毛３は、洗浄液供給手段６の下に位置している。
【００５３】
インクジェットヘッド１の吐出口又はインク吐出面２のクリーニングが必要になったとき、まず、吸引又はパージを行い、その後、インク吐出面２のワイピング（拭き取り）を行う。これにより、インク吐出面２に付着した、大きな付着物又は高粘度化したインクが除去される。
【００５４】
ここで「パージ」とは、インクジェットヘッド１を振動させずに、インクジェットヘッド１にインクを供給する際の供給圧を上げることで吐出口からインクを吐出して、吐出口を清掃することをいう。供給圧は、例えば、大気圧以上に上げることによって、パージが適切に行われる。またパージを行なう場合には、インクジェット記録装置２０内に、パージによって吐出されるインクを回収する部材を設けてもよい。
【００５５】
次に、吐出口のチェックを行い、吐出精度が悪化した吐出口を特定する。特定方法としては、公知の方法を用いればよいが、例えば、チェックパターンを印刷して目視で行ってもよく、光学センサで行ってもよい。
【００５６】
洗浄液供給手段６によりブラシ毛３に洗浄液を付着させた後、ブラシ毛３がインクジェットヘッド１を洗浄できるように、インクジェットヘッド１及びブラシ本体４を移動させる。インクジェットヘッド１については、ヘッドを搭載するキャリッジ（図示せず）を移動させ、ブラシ本体４については、ブラシ移動手段５により、ブラシ本体４を水平方向に移動させればよい。これにより、ブラシ毛３の先端とインク吐出面２とが接触できる位置にインクジェットヘッド１及びブラシ本体４がそれぞれ移動する。
【００５７】
このとき、ブラシ移動手段５を制御してブラシ本体４を移動させ、ブラシ毛３を特定の吐出口付近に移動させる。特定の吐出口としては、上記吐出口のチェックにより特定した吐出精度が悪化した吐出口であってもよく、予め決めておいた吐出口であってもよい。
【００５８】
次に、ブラシ本体４に内蔵されたピエゾ素子、又はブラシ本体４に設けられた偏芯カムを取り付けたモータを用いて、あるいは、超音波発生手段を用いてブラシ本体４及びブラシ毛３に振動を与えてもよい。ブラシ本体４及びブラシ毛３に振動を与えた状態で、ブラシ移動手段５を移動させて、ブラシ本体４を矢印Ｘ方向に往復移動させる。
【００５９】
このとき、インクジェットヘッド１へのインク供給圧を上昇させて、吐出口からインクを滲み出させてもよい。これにより、インクとともに剥離した付着物を吐出口から排出することができる。
【００６０】
特定の吐出口付近をブラシ毛３が往復運動して、吐出口又はインク吐出面２をクリーニングするようにブラシ移動手段５を制御してもよいが、特定の吐出口以外の全吐出口又はインク吐出面２の全体をブラシ毛３がクリーニングするようにブラシ移動手段５を制御してもよい。
【００６１】
次に、図３を用いて、インク吐出面２に形成された吐出口の清掃について説明する。図３は、本発明の第１実施形態にて、インク吐出面に形成された吐出口をブラシ毛により清掃することを模式的に示す図である。
【００６２】
まず、図３の（ａ）に示すように、インク吐出面２に形成された複数の吐出口からなる吐出口の列８とブラシ本体４に形成された複数のブラシ毛３からなるブラシ毛の列とが平行な状態を維持したまま、吐出口又はインク吐出面２をクリーニングしてもよい。なお、一般的にブラシ毛は、数百本単位で行列をなしてブラシ本体４に設けられている。
【００６３】
図３の（ｂ）に示すように、吐出口の列８に対してブラシ毛の列を傾斜（図中は１０度傾斜させている）させてもよい。吐出口の列に対してブラシ毛の列を数十度傾斜させた場合、吐出口の列に対してブラシ毛の列を平行にした場合と比較して、吐出口又はインク吐出面をより好適にクリーニングすることができる。クリーニングを何度も行うことによりブラシ毛の先が寝てきた場合、又はブラシ毛同士が絡み合ってきたりした場合であっても、ブラシ毛の先端を確実に吐出口に当てることができるためである。
【００６４】
ブラシ毛３により吐出口又はインク吐出面２のクリーニングが終了したとき、メニスカスが壊れている。メニスカスが壊れている場合、インク速度、着弾精度などに影響を及ぼすおそれがあるため、インクジェットヘッド１の通常のクリーニングを再度行ない、メニスカスを形成する必要がある。通常のクリーニングとは、例えば、インクの吸引又はパージを行ない、必要に応じてワイピングを行なうことである。
【００６５】
インクジェットヘッド１のクリーニングが終了した後、ブラシ移動手段５を制御してブラシ本体４を移動させ、ブラシ毛３を洗浄液供給手段６の下に移動させる。
【００６６】
ブラシ毛３が洗浄液供給手段６の下に移動した後、洗浄液供給手段６はブラシ毛３に洗浄液を滴下し、ブラシ毛３に付着した付着物を除去する。
【００６７】
このとき、ブラシ本体４に内蔵されたピエゾ素子、又はブラシ本体４に設けられた偏芯カムを取り付けたモータを用いてブラシ本体４及びブラシ毛３に振動を与えることにより、ブラシ毛３に付着した汚れを効率的に除去することができる。
【００６８】
洗浄液受け７に洗浄液を貯留しておき、ブラシ毛３を浸漬することにより、ブラシ毛３に付着した汚れを除去してもよい。このとき、ブラシ毛３（及びブラシ本体４）を回転させることにより、ブラシ毛３に付着した汚れを効率的に除去することができる。
【００６９】
本発明に係るインクジェットヘッドの清掃方法には、インクジェット記録装置が備えるブラシ本体を用いてインクジェットヘッドを自動的に清掃する場合のみならず、ブラシ本体を用いてインクジェットヘッドを手動で清掃する場合も含まれる。
【００７０】
［第２実施形態］
本発明の第２実施形態について、図２に基づいて説明すれば、以下のとおりである。図２は、本発明の第２実施形態に係るインクジェット記録装置を模式的に示す図である。なお、説明の便宜上、前記第１実施形態にて説明した図面と同じ機能を有する部材については、同じ符号を付記し、その説明を省略する。
【００７１】
第２実施形態に係るインクジェット記録装置３０は、ブラシ移動手段５の代わりにブラシ回転手段１１を備えている点、ならびに、洗浄液供給手段６及び洗浄液受け７の代わりに洗浄槽１２を備えている点で、第１実施形態に係るインクジェット記録装置２０と異なる。
【００７２】
〔ブラシ回転手段１１〕
ブラシ回転手段１１は、ブラシ本体４を支持し、ブラシ本体４を図２中の矢印Ａ方向に回転させるための回転手段である。ブラシ本体４に支持されているブラシ毛３の先端がインク吐出面２に接触しているとき、ブラシ本体４を矢印Ａ方向に回転させることにより、ブラシ毛３の先端が、複数の吐出口又はインク吐出面２に接触する。
【００７３】
ブラシ回転手段１１は、ブラシ本体４を回転させる機構だけでなく、ブラシ本体４を任意の方向に移動させる機構を備えていてもよい。
【００７４】
〔洗浄槽１２〕
洗浄槽１２は、洗浄液を貯留し、吐出口又はインク吐出面２の清掃後に付着物が付着したブラシ毛３を洗浄液に浸漬するためのものである。また、ブラシ毛３を洗浄槽１２に納めることができる。
【００７５】
〔インクジェットヘッド１の清掃方法〕
次に、インクジェットヘッド１の清掃方法について簡単に説明する。なお、第１実施形態にて説明した事項については、その説明を省略する。
【００７６】
まず、インクジェットヘッド１をクリーニングしていない待機状態の場合、ブラシ毛３は、洗浄槽１２に納められている。このとき、洗浄槽１２中には洗浄液が貯留されていてもよい。
【００７７】
洗浄槽１２中に洗浄液を貯留してブラシ毛３に洗浄液を付着させた後、ブラシ回転手段１１により、ブラシ本体４を図２中の矢印Ａ方向に移動させる。これにより、ブラシ毛３の先端とインク吐出面２とが接触し、インク吐出面２又は吐出口に付着した付着物を除去することができる。
【００７８】
このとき、ブラシ回転手段１１を制御してブラシ本体４を回転させながら移動させてもよい。これにより、特定の吐出口以外の全吐出口又はインク吐出面２の全体をブラシ毛３がクリーニングできる。
【００７９】
インクジェットヘッド１のクリーニング後に、洗浄液を貯留した洗浄槽１２にブラシ毛３を浸漬することにより、ブラシ毛３に付着した汚れを除去してもよい。このとき、振動付加手段によりブラシ毛を振動させてもよい。これにより、ブラシ毛３に付着した汚れを効率的に除去することができる。
【００８０】
以上より、本発明に係るインクジェット記録装置及びインクジェットヘッドの清掃方法は、長期間にわたって高画質印刷が可能である。
【００８１】
〔付記事項〕
本発明の第１実施形態に係るインクジェット記録装置２０は、インクを吐出する吐出口が形成されたインク吐出面２を有するインクジェットヘッド１と、先端がインク吐出面２に接触することにより、上記吐出口又はインク吐出面２に付着した付着物を除去するブラシ毛３とを備え、上記先端の径は、上記吐出口の径より細い。
【００８２】
ブラシ毛３の先端の径は、吐出口の径よりも細いため、当該先端は容易に吐出口に侵入する。そのため、吐出口近傍、又は吐出口内の汚れを好適に除去することができる。また、ブラシ毛３の先端とインクジェットヘッド１とが接触しても大きな負担がかからないため、インクジェットヘッド１のインク吐出面２が損傷することを防止できる。
【００８３】
したがって、本発明の一実施形態に係るインクジェット記録装置２０は、長期間にわたって高画質印刷が可能である。
【００８４】
インクジェット記録装置２０は、ブラシ毛２に振動を与える振動付加手段をさらに備える。
【００８５】
振動付加手段がブラシ毛３に振動を与えることによって、ブラシ毛３の先端が吐出口に侵入しやすくなる。よって、吐出口に付着した付着物を好適に除去することができる。
【００８６】
インクジェット記録装置２０では、上記振動付加手段は、超音波を発生させてブラシ毛３に振動を与える。
【００８７】
振動付加手段が超音波を発生させることによって、ブラシ毛３は微細に振動する。ブラシ毛３の微細な振動により吐出口に付着した付着物が離れやすくなるため、当該付着物を除去することが容易である。
【００８８】
インクジェット記録装置２０は、ブラシ毛３に洗浄液を供給する洗浄液供給手段６をさらに備える。
【００８９】
洗浄液供給手段６がブラシ毛３に洗浄液を供給することによって、ブラシ毛３に当該洗浄液が付着する。ブラシ毛３に付着した洗浄液によって、吐出口又はインク吐出面２に付着した付着物の一部を溶かして除去することが容易である。
【００９０】
また、複数のブラシ毛３が密集している場合、毛細管現象によってブラシ毛３の間に洗浄液が保持される。この場合、吐出口又はインク吐出面２に付着した付着物の一部を溶かして除去することがより容易である。
【００９１】
超音波によりブラシ毛３に振動を与えている場合、ブラシ毛３に付着した洗浄液を介して、吐出口又はインク吐出面２に付着した付着物に超音波を付与することができる。したがって、上記付着物を容易に除去することができる。
【００９２】
インクジェット記録装置２０は、上記吐出口の径に対する上記先端の径の割合は、４％以上、５０％以下である。
【００９３】
先端の径の割合が４％以上であることにより、ブラシ毛３は吐出口又はインク吐出面２に付着した付着物を好適に除去することができる。先端の径の割合が５０％以下であることにより、ブラシ毛３の先端はより容易に吐出口に侵入することができ、当該吐出口に付着した付着物を好適に除去することができる。
【００９４】
インクジェット記録装置２０では、ブラシ毛３は、ポリブチレンテレフタレート、ナイロン、ポリプロピレンからなる群より選択される材料から形成される。
【００９５】
上記材料から形成されるブラシ毛３は、耐摩耗性及び耐溶剤性に優れている。よって、長期間にわたってインクジェットヘッド１の清掃性能を維持することができる。
【００９６】
本発明の第１実施形態に係るインクジェットヘッド１の清掃方法は、インクを吐出する吐出口が形成されたインク吐出面２を有するインクジェットヘッド１を、ブラシ毛３により清掃する清掃工程を含み、上記清掃工程では、上記吐出口の径よりも細い先端の径を有するブラシ毛３が、インク吐出面２に接触することにより、上記吐出口又はインク吐出面２に付着した付着物を除去する。
【００９７】
第１実施形態に係るインクジェットヘッド１の清掃方法によれば、上記インクジェット記録装置２０と同様の効果を奏する。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９９】
本発明に係るインクジェットヘッドの清掃方法は、インクジェット印刷装置に利用することができる。
【符号の説明】
【０１００】
１          インクジェットヘッド
２          インク吐出面
３          ブラシ毛
４          ブラシ本体
５          ブラシ移動手段
６          洗浄液供給手段
７          洗浄液受け
８          吐出口の列
１１        ブラシ回転手段
１２        洗浄槽
２０、３０  インクジェット記録装置
【図１】
2014069351.tif 000003
【図２】
2014069351.tif 000004
【図３】
2014069351.tif 000005